(57)【要約】【課題】  水力発電所からの放水開始又は放水停止によって変動する河川の水位を予測する情報となる予測水位データを作成する河川予測水位データ作成システムを提供する。【解決手段】  水力発電所の放水を伴う運転の計画に関する運転計画データ４１と、河川と水力発電所との系統に関する系統データ４２と、河川の所定場所での基準水位に関する基準水位データ４３とが少なくとも格納されるデータベース４０と、データベース４０内の各種データに基づいて、指定される少なくとも１つの指定河川の少なくとも１つの指定場所の少なくとも所定時刻又は指定時刻での予測水位に関する予測水位データ２を作成する予測水位データ作成手段５０とを具備することを特徴とする河川予測水位データ作成システムとする。【選択図】      図１
2006124997.tif 000002
【特許請求の範囲】
【請求項１】
水力発電所の放水を伴う運転の計画に関する運転計画データと、河川と水力発電所との系統に関する系統データと、前記河川の所定場所での基準水位に関する基準水位データとが少なくとも格納されるデータベースと、
前記データベース内の各種データに基づいて、指定される少なくとも１つの指定河川の少なくとも１つの場所の少なくとも所定時刻又は指定時刻での予測水位に関する予測水位データを作成する予測水位データ作成手段とを具備することを特徴とする河川予測水位データ作成システム。
【請求項２】
請求項１において、前記予測水位データ作成手段は、前記データベースを参照しながら、前記系統データに基づいて前記指定河川に対応する水力発電所を特定してその水力発電所の前記運転計画データと前記指定河川に対応する前記基準水位データとを抽出し、抽出した前記運転計画データ及び前記基準水位データに基づいて前記予測水位データを作成することを特徴とする河川予測水位データ作成システム。
【請求項３】
請求項１又は２において、前記データベースには、前記水力発電所の放水開始後の前記河川の所定場所での水位を前記水力発電所の放水量に応じて予め測定した第１測定データと、前記水力発電所の放水停止後の前記河川の所定場所での水位を前記水力発電所の放水停止時刻又は時間に応じて予め測定した第２測定データとの少なくとも一方を含む実測水位データがさらに格納されており、
前記予測水位データ作成手段は、前記系統データに基づいて前記指定河川に放水して発電を実施する水力発電所を特定してその水力発電所の前記運転計画データと前記指定河川に対応する前記基準水位データとを抽出すると共に、抽出した前記運転計画データに基づいて前記指定河川に対応する前記実測水位データを抽出し、抽出した前記実測水位データを考慮して前記予測水位データを作成することを特徴とする河川予測水位データ作成システム。
【請求項４】
請求項１〜３の何れかにおいて、前記データベースには、気象予報データがさらに格納されており、
前記予測水位データ作成手段は、前記気象予報データを考慮して前記予測水位データを作成することを特徴とする河川予測水位データ作成システム。
【請求項５】
請求項１〜４の何れかにおいて、前記データベース内の少なくとも前記運転計画データを前記水力発電所の運転計画の変更に応じて所定のタイミングで更新するデータ更新手段をさらに具備することを特徴とする河川予測水位データ作成システム。
【請求項６】
請求項１〜５の何れかにおいて、前記予測水位データ作成手段は、前記予測水位データとして、前記指定河川の少なくとも１つの釣り場での予測水位に関する釣り場予測水位データを作成することを特徴とする河川予測水位データ作成システム。
【請求項７】
請求項６において、前記予測水位データ作成手段は、前記指定河川の複数の釣り場毎の釣り場予測水位データを作成すると共に、前記データベースには、前記河川の釣り場毎に予め設定されると共に鮎釣りに最適な水位又はその範囲に関する設定水位データがさらに格納されており、
前記予測水位データと前記設定水位データとに基づいて、前記指定河川での最適な釣り場、又は釣り場の変更ルートの少なくとも一方を決定する釣り場決定手段をさらに具備することを特徴とする河川予測水位データ作成システム。
【発明の詳細な説明】
【技術分野】
【０００１】
本発明は、水力発電所からの放水によって水位変動等の影響を受ける河川での少なくとも所定時刻又は指定時刻における予測水位に関する予測水位データを作成する河川予測水位データ作成システムに関し、特に、鮎釣り等をするのに役立つ情報となる予測水位データを作成する河川予測水位データ作成システムに関する。
【背景技術】
【０００２】
水力発電所では、水力によって発電機を運転させるために、河川等への放水を行っている。この水力発電所の運転に伴った放水は、河川の水位や流量等を変化させ、特に、河川の下流では、かなり時間が経過した頃、増水する原因となっている。
【０００３】
このような水力発電所での運転（放水）計画については、直接管轄の制御所等に問い合わせなければ知ることはできず、連絡先も非常に分かり難い。また、河川で釣り等のレジャーを楽しむ人にとっては、水力発電所の放水により河川の水位等の河川環境が変化することを事前に予測するのは非常に困難である。また、河川の水位変動は、鮎釣りの成果を大きく左右するため、例えば、水位がある程度上昇すると、釣り場の変更をしなければならない。さらに、河川の急な増水は、河川の瀬又はその付近にいる人に取って非常に危険である。
【０００４】
なお、近年、洪水や地震等の災害情報に基づいて、緊急情報の配信を行う緊急情報配信装置が提案されている（例えば、特許文献１参照）が、上述した水力発電所の放水による河川の水位変動、特に、鮎釣りに影響を及ぼす程度の水位変動を予測できるものではない。
【０００５】
【特許文献１】特開２００１−２７４８３０号公報
【発明の開示】
【発明が解決しようとする課題】
【０００６】
本発明はこのような事情に鑑み、水力発電所からの放水開始又は放水停止によって変動する河川の水位を予測する情報となる予測水位データを作成する河川予測水位データ作成システムを提供することを課題とする。
【課題を解決するための手段】
【０００７】
上記課題を解決する本発明の第１の態様は、水力発電所の放水を伴う運転の計画に関する運転計画データと、河川と水力発電所との系統に関する系統データと、前記河川の所定場所での基準水位に関する基準水位データとが少なくとも格納されるデータベースと、前記データベース内の各種データに基づいて、指定される少なくとも１つの指定河川の少なくとも１つの場所の少なくとも所定時刻又は指定時刻での予測水位に関する予測水位データを作成する予測水位データ作成手段とを具備することを特徴とする河川予測水位データ作成システムにある。
【０００８】
かかる第１の態様では、作成される予測水位データに基づいて、水力発電所の放水開始又は放水停止によってその後に変動する河川の水位を事前に予測することができる。
【０００９】
本発明の第２の態様は、第１の態様において、前記予測水位データ作成手段は、前記データベースを参照しながら、前記系統データに基づいて前記指定河川に対応する水力発電所を特定してその水力発電所の前記運転計画データと前記指定河川に対応する前記基準水位データとを抽出し、抽出した前記運転計画データ及び前記基準水位データに基づいて前記予測水位データを作成することを特徴とする河川予測水位データ作成システムにある。
【００１０】
かかる第２の態様では、データベースに格納されている各種データに基づいて、予測水位データを効率的に作成することができる。
【００１１】
本発明の第３の態様は、第１又は２の態様において、前記データベースには、前記水力発電所の放水開始後の前記河川の所定場所での水位を前記水力発電所の放水量に応じて予め測定した第１測定データと、前記水力発電所の放水停止後の前記河川の所定場所での水位を前記水力発電所の放水停止時刻又は時間に応じて予め測定した第２測定データとの少なくとも一方を含む実測水位データがさらに格納されており、前記予測水位データ作成手段は、前記系統データに基づいて前記指定河川に放水して発電を実施する水力発電所を特定してその水力発電所の前記運転計画データと前記指定河川に対応する前記基準水位データとを抽出すると共に、抽出した前記運転計画データに基づいて前記指定河川に対応する前記実測水位データを抽出し、抽出した前記実測水位データを考慮して前記予測水位データを作成することを特徴とする河川予測水位データ作成システムにある。
【００１２】
かかる第３の態様では、実測水位データをさらに考慮して予測水位データをより効率的に作成することができ、水力発電所の放水開始又は放水停止によって変動する河川の水位をより正確に予測することができる。
【００１３】
本発明の第４の態様は、第１〜３の何れかの態様において、前記データベースには、気象予報データがさらに格納されており、前記予測水位データ作成手段は、前記気象予報データを考慮して前記予測水位データを作成することを特徴とする河川予測水位データ作成システムにある。
【００１４】
かかる第４の態様では、予測水位データを作成する際に、気象予報データを加味することで、河川の水位をより正確に予測することができる。
【００１５】
本発明の第５の態様は、第１〜４の何れかの態様において、前記データベース内の少なくとも前記運転計画データを前記水力発電所の運転計画の変更に応じて所定のタイミングで更新するデータ更新手段をさらに具備することを特徴とする河川予測水位データ作成システムにある。
【００１６】
かかる第５の態様では、最新のデータに基づいて、より正確な予測水位データを作成することができる。
【００１７】
本発明の第６の態様は、第１〜５の何れかの態様において、前記予測水位データ作成手段は、前記予測水位データとして、前記指定河川の少なくとも１つの釣り場での予測水位に関する釣り場予測水位データを作成することを特徴とする河川予測水位データ作成システムにある。
【００１８】
かかる第６の態様では、釣り、特に、鮎釣りをする際に有用な情報となる釣り場予測水位データを作成することができる。
【００１９】
本発明の第７の態様は、第６の態様において、前記予測水位データ作成手段は、前記指定河川の複数の釣り場毎の釣り場予測水位データを作成すると共に、前記データベースには、前記河川の釣り場毎に予め設定されると共に鮎釣りに最適な水位又はその範囲に関する設定水位データがさらに格納されており、前記予測水位データと前記設定水位データとに基づいて、前記指定河川での最適な釣り場、又は釣り場の変更ルートの少なくとも一方を決定する釣り場決定手段をさらに具備することを特徴とする河川予測水位データ作成システムにある。
【００２０】
かかる第７の態様では、河川の水位変動に応じて、釣り場を変える際の参考データとして利用することができる。
【発明の効果】
【００２１】
本発明は、予測水位データ作成手段によって作成された予測水位データに基づいて、水力発電所の放水開始又は放水停止によって変動する河川の水位を事前に予測することができる。特に、このような予測水位データは、河川で鮎釣り等をする際において水位変動を予測し、釣り場の予測を行うのに役立つ情報となる。
【発明を実施するための最良の形態】
【００２２】
以下、本発明を実施するための最良の形態について説明するが、本実施形態の説明は例示であり、本発明の構成は以下の説明に限定されるものではない。図１は、本発明の一実施形態に係る河川予測水位データ作成システムのシステム構成図である。
【００２３】
本実施形態の河川予測水位データ作成システムは、図１に示すように、利用者の端末１０と河川予測水位データ作成サーバ２０とがネットワーク３０を介して接続されている。ここで、ネットワーク３０とは、ＬＡＮや専用線やインターネットを介しての接続手段のことをいう。なお、利用者の端末１０、河川予測水位データ作成サーバ２０としては、一般的なコンピュータの各種機能を備える情報通信機器であればよく、例えば、パーソナルコンピュータ（ＰＣ）等が挙げられる。
【００２４】
また、利用者の端末１０には、河川予測水位データ作成サーバ２０に対してアクセス権が予め付与され、このような利用者の端末１０では、河川予測水位データ作成サーバ２０に対してアクセスし、例えば、水位変動の予測を望む河川と、その河川の詳細な場所等を指定（選択）できるようになっている。
【００２５】
一方、河川予測水位データ作成サーバ２０では、利用者の端末１０から入力される入力データ１、すなわち、指定河川及び指定場所等に関するデータに応じて、水力発電所からの放水の影響を受ける河川の水位変動を予測するための予測水位データ２を作成し、利用者の端末１０への予測水位データ２の送信がネットワーク３０を介して実行されるようになっている。
【００２６】
具体的には、この河川予測水位データ作成サーバ２０は、図示するように、予測水位データ２を作成するのに必要な各種データが格納されるデータベース（ＤＢ）４０と、このデータベース４０に接続されて予測水位データ２を作成する予測水位データ作成手段５０とを具備し、さらに、本実施形態では、利用者の端末１０で入力される入力データ１を取得する入力データ取得手段６０と、予測水位データ２を利用者の端末１０に提供する予測水位データ提供手段７０とを具備している。
【００２７】
データベース４０には、水力発電所の放水を伴う運転の計画に関する運転計画データ４１と、河川と水力発電所との系統に関する系統データ４２と、河川の所定場所での基準水位に関する基準水位データ４３とが少なくとも格納されている。ここで、運転計画データ４１とは、例えば、水力発電所の放水開始時刻、放水停止時刻、放水量等の運転計画を示すデータのことである。系統データ４２とは、水力発電所と河川との位置関係、具体的には、１つの河川に対して放水する１つ又は複数の水力発電所に関するデータ等のことである。基準水位データ４３とは、例えば、河川の放水による影響がない時点での基準となる河川の水位データのことである。
【００２８】
なお、このようなデータベース４０には、上述した各種データの他に、例えば、水力発電所及びそこからの放水の影響を受ける河川、並びにそれら周辺の地図データ、河川の所定場所での基準水量に関する基準水量データ、河川の深さや傾斜角度等に関する河川地理データ、あるいは気象予報データ等が格納されていてもよい。何れにしても、データベース４０には、河川の水位を予測するのに参考となるデータが格納されていればよく、本発明は上述したものに限定されるものではない。
【００２９】
また、データベース４０は、本実施形態では、河川予測水位データ作成サーバ２０内に設けられているように図示しているが、本発明は勿論これに限定されず、データベースの全部又は一部と河川予測水位データ作成サーバとがネットワーク等を介して接続され、予測水位データ作成手段が参照できるものであればよい。
【００３０】
また、入力データ取得手段６０は、利用者の端末１０からネットワーク３０を介して送信されてくる入力データ１を取得（受信）する機能を有している。ここで、入力データ１とは、本実施形態では、利用者が端末１０を介して入力するデータのことであり、例えば、予測水位データ２の取得を希望する河川（河川名等）、その河川の詳細な場所、月日、時刻又は時間等のデータが挙げられる。
【００３１】
さらに、予測水位データ提供手段７０は、利用者の端末１０に対して、後述する予測水位データ作成手段５０によって作成した予測水位データ２を、ネットワーク３０を介して提供（送信）する機能を有する。
【００３２】
以下、予測水位データ作成手段５０について説明する。予測水位データ作成手段５０は、データベース４０を参照しながら、利用者が端末１０及びネットワーク３０を介して入力した入力データ１に基づいて、指定される少なくとも１つの指定河川の少なくとも１つの場所の少なくとも所定時刻又は指定時刻での予測水位に関する予測水位データ２を作成する機能を有している。
【００３３】
詳細には、予測水位データ作成手段５０は、系統データ４２に基づいて指定河川に放水して発電を実施する水力発電所を特定し、その水力発電所の運転計画データ４１と、指定河川に対応する基準水位データ４３とを抽出する。ここで、予測水位データ作成手段５０は、抽出する運転計画データ４１として、特定した水力発電所の放水に関する放水データ、例えば、放水量、放水開始時間、放水停止時間等のデータを抽出する。そして、予測水位データ作成手段５０は、抽出した運転計画データ４１及び基準水位データ４３に基づいて、予測水位データ２を作成する。
【００３４】
なお、本発明では、このように予測水位データ２を作成する際においては、例えば、河川やその河川の場所等の数は限定されるものではない。また、時刻を指定してもよいし、時間帯を指定してもよく、予め決められた時刻（所定時刻）又は時間（所定時間）における予測水位データ２を作成するようにしてもよい。
【００３５】
ここで、本実施形態において、上述した予測水位データ作成手段５０が作成した予測水位データ２の一例を説明する。図２には、予測水位データ２の一例を示す。図２に示す予測水位データ２は、「○○発電所」の放水開始時刻が１０：００、放水停止時刻が１５：００である場合の「○○川」に関するデータであり、「○○発電所放水口」、「○○川」の「Ａ地点（Ａ瀬）」、「Ｂ地点（Ｂ瀬）」、「Ｃ地点（Ｃ瀬）」の各指定場所についての所定時刻の予測水位を示すものである。
【００３６】
このような予測水位データ２では、例えば、５月１７日において、放水開始時刻である１０：００における「○○発電所放水口」の予測水位は、基準水位から約４０ｃｍ増加し、この「○○発電所放水口」から下流に位置するＡ地点（Ａ瀬）における１１：００（放水開始時刻から１時間経過後）の予測水位は、基準水位から約３５ｃｍ増加することを示している。一方、５月１７日においては、放水停止時刻である１５：００における「○○発電所放水口」の予測水位は、約４０ｃｍ減少して基準水位に戻り、Ａ地点（Ａ瀬）における１６：００（放水停止時刻から１時間経過後）の予測水位は、約３５ｃｍ減少して基準水位に戻ることを示している。なお、５月１８日においては、「○○発電所」の運転計画はなく、終日水位変化がないことを示している。
【００３７】
ここで、上述した河川予測水位データ作成システムの動作について説明する。図３は、本発明の一実施形態に係る河川予測水位データ作成システムの通信シーケンスを示す図である。まず、利用者の端末１０で入力した入力データ１、ここでは、河川名、河川の指定場所、月日に関するデータを河川予測水位データ作成サーバ２０に送信し（ステップＳ１）、入力データ取得手段６０がその入力データ１を取得する（ステップＳ２）。次に、予測水位データ作成手段５０は、入力データ１に基づいて、データベース４０内から、指定された河川と、その河川に放水を行う水力発電所とを含む系統データ４２を抽出する（ステップＳ３）。そして、予測水位データ作成手段５０は、系統データ４２に含まれる水力発電所の運転計画データ４１を抽出する（ステップＳ４）。ここでは、運転計画データ４１として、例えば、放水量、放水開始時刻、放水停止時刻等に関するデータを抽出した。
【００３８】
次いで、予測水位データ作成手段５０は、データベース４０内から、指定河川の指定場所における基準水位データ４３を抽出し（ステップＳ５）、この抽出した基準水位データ４３と運転計画データ４１とに基づいて、予測水位データ２を作成する（ステップＳ６）。その後、予測水位データ提供手段７０は、作成した予測水位データ２を利用者の端末１０に対してネットワーク３０を介して提供（送信）する（ステップＳ７）。一方、利用者の端末１０側では、河川予測水位データ作成サーバ２０から送信された予測水位データ２を受信する（ステップＳ８）。これにより、利用者は、受信した予測水位データ２に基づいて、入力データ１に基づく河川の水位変動の予測を行うことができる。
【００３９】
以上説明したように、本実施形態の河川予測水位データ作成システムでは、予測水位データ作成手段５０によって予測水位データ２を作成し、その作成された予測水位データ２を利用者の端末１０に提供するようにしたので、利用者は、予測水位データ２に基づいて、水力発電所の放水開始又は放水停止によって変動する河川の水位を事前に予測することができる。
【００４０】
これにより、例えば、河川でのレジャー、特に、鮎釣り等をする際に、予測水位データ２に基づいて、釣り場を決定することができる。すなわち、予測水位データ２を釣り場予測水位データとして活用することができる。ここで、鮎釣りでは、例えば、河川（瀬）の水位が数十センチ程度上昇、場所によっては数センチ程度上昇しただけでも、鮎が釣れなくなるため、最適な水位の釣り場に変更しなければならない。しかしながら、水力発電所の運転による水位変動を予測するための予測水位データ２に基づいて、釣り場を選定することで、水力発電所の運転状況に伴う水位変動が原因となって釣り場を変更することがなくなり、釣り場の変更に伴う労力を低減することができる。また、予測水位を事前に把握できるので、予測水位によって鮎釣りの仕掛けや釣り方等を適宜調整することもできる。
【００４１】
（他の実施形態）
以上、本発明を一実施形態に基づいて説明したが、本発明は上述した一実施形態に限定されるものではない。例えば、上述した一実施形態では、データベース４０に運転計画データ４１、系統データ４２、及び基準水位データ４３を格納したものを例示して説明したが、勿論これに限定されず、データベースには、実測水位データが格納されていてもよい。
【００４２】
ここで、この実測水位データとは、系統データに含まれる河川において、例えば、水力発電所からの放水量や、放水停止時刻又は時間等に応じて、水力発電所の運転によって水位変動した際に水位測定した実測データのことである。
【００４３】
このような実測水位データとしては、例えば、水力発電所の放水開始後に、水力発電所の放水量に応じて、河川の所定場所で予め水位測定した第１測定データ、すなわち、水位上昇に関するデータが挙げられる。また、この他に、水力発電所の放水停止後に、水力発電所の放水停止時刻又は時間に応じて、河川の所定場所で水位測定した第２測定データ、すなわち、水位低下に関するデータが挙げられる。
【００４４】
このように、データベースに実測水位データを蓄積しておくことで、予測水位データ作成手段は、指定河川の運転計画データに基づいて、指定河川に対応する実測水位データを抽出し、抽出した実測水位データを考慮して予測水位データを作成することができる。これにより、水力発電所の放水開始又は放水停止によって変動する河川の水位をより正確に予測することができる。
【００４５】
また、データベースには、例えば、河川の釣り場毎に設定されると共に鮎釣りに最適な水位又はその範囲に関する設定水位データがさらに格納されていてもよい。そして、河川水位予測データ作成サーバ内には、予測水位データと設定水位データとに基づいて、指定河川での最適な釣り場、又は釣り場の変更ルートの少なくとも一方を決定する釣り場決定手段をさらに設けるようにしてもよい。これにより、河川の水位変動に応じて、釣り場を変える際の参考データとして利用することができる。
【００４６】
さらに、上述した一実施形態の河川予測水位データ作成システムのシステム構成に、データベース内の少なくとも運転計画データを水力発電所の運転計画の変更に応じて所定のタイミングで更新するデータ更新手段をさらに設けるようにしてもよい。これにより、最新のデータに基づいて、より正確な予測水位データを作成することができる。
【図面の簡単な説明】
【００４７】
【図１】本発明の一実施形態に係る河川予測水位データ作成システムのシステム構成図である。
【図２】本発明の一実施形態に係る予測水位データ２の一例を示す図である。
【図３】本発明の一実施形態に係る河川予測水位データ作成システムの動作を示す通信シーケンスを示す図である。
【符号の説明】
【００４８】
１  入力データ
２  予測水位データ
１０  利用者の端末
２０  河川予測水位データ作成サーバ
３０  ネットワーク
４０  データベース
４１  運転計画データ
４２  系統データ
４３  基準水位データ
５０  予測水位データ作成手段
６０  入力データ取得手段
７０  予測水位データ提供手段
【図１】
2006124997.tif 000003
【図２】
2006124997.tif 000004
【図３】
2006124997.tif 000005